(57)【要約】【課題】簡単な構造にて、連結、連結解除が容易であるとともにネックレス等が装着時に上下左右の引き離し力が働いても外れない装身具用留め具を提供する。【解決手段】装身具用留め具２０は、受容体２２と挿入体３０からなり、受容体２２は、一端側には紐状体の一端と連結可能な接続環２３と、磁石を収納する挿入受け部２４ａを有するとともに挿入体３０の一部も挿入できる挿入受け部２４を設け、他端側には空間部２５を設けるとともに空間部を形成する枠部２６には、切り欠き部２８を設けた一辺が、長手方向に対して垂直な上下に突出した略鈎形状に一体連設された掛合部片２９、２９ａ、２９ｂ、２９ｃを設けて形成、挿入体３０は、一端側には磁石が収納される収納部３２と、該収納部の後ろ側より長手方向に伸びるとともに受容体３０の切り欠き部２８に配置できる柄部３３と、該柄部に紐状体の他端と連結可能な接続環３４とを設けてなるものである。【選択図】図５
0003131220.tif 000002
【実用新案登録請求の範囲】
【請求項１】
装身具を着脱する留め具において、該留め具は、磁石を有する受容体及び挿入体からなり、
前記受容体は、一端側には紐状体と連結可能な接続部と、磁石を収納するとともに前記挿入体も挿入される挿入受け部を設け、他端側には空間部を設けるとともに該空間部を形成する枠部には、前記挿入受け部の開口部と対向する枠部の一辺に切り欠き部を設けてなり、
前記挿入体は、一端側には磁石が収納される収納部と、該収納部の後ろ側より長手方向に伸びるとともに前記切り欠き部に配置できる柄部と、該柄部に紐状体と連結可能な接続部とを設けてなり、
前記受容体の開口部より前記挿入体を挿入することにより、前記受容体と前記挿入体とが有する磁石の磁力にて結合されることを特徴とする装身具用留め具。
【請求項２】
請求項１に記載の装身具用留め具において、前記受容体の他端側の空間部を形成する枠部には、切り欠き部を設けた一辺が、長手方向に対して垂直な上下に突出した略鈎形状に一体連設された掛合部片を設けてなることを特徴とする装身具用留め具。
【考案の詳細な説明】
【技術分野】
【０００１】
本考案は、紐状体を環状に連結するために磁石の磁力を利用した留め具に関するものである。
【背景技術】
【０００２】
従来、ネックレス等を無端の環状に連結する留め具としては、引き輪金具、フック金具、中留め金具、差し込み金具が多く用いられるのが一般的であるが、着脱操作が煩雑となる欠点があった。
【０００３】
前記欠点を解消するための留め具として磁石の磁力にて連結させる留め具があり、該磁石を用いた留め具の特徴としては、同磁極による磁力の反発力を利用したもの、Ｎ極、Ｓ極の磁力を利用したものが数多く提案されている。
【０００４】
前記磁石を用いた留め具の中で磁力の反発力を利用した留め具は両手で持って脱着操作する必要があり、ブレスレットに用いた場合、片手で着脱操作が必要となるために非常に操作がしづらい欠点があるため片手でも操作できるＮ極、Ｓ極の磁力を利用したものが好まれているが、磁力のみの結合手段のみでは突発的な引っ張り力が発生した場合には留め具が外れ易く、使用者の安心感に対して不安が残る問題がある。
【０００５】
その中で、上記問題点を解消しようとするものとして、「互いに磁気吸着可能な磁気ペアを使用した磁気クラスプであって、分離可能な一対の接続ケースの分離端となる開口部に、磁気ペアを構成する一対の磁気片を夫々取り付け、一対の接続ケースを開口部側にて磁気ペアの磁力により接続可能とするとともに、一対の接続ケースを左右に引き離したときにのみ分離可能とするヨークを接続ケースの外側に設けたことを特徴とする装身具類における磁気クラスプ。」とした特許文献がある（例えば特許文献１参照。）。
【０００６】
また、「一方の容器の側面に手持ちとなるリングを設け、Ｎ極を外側にした磁石を一方の容器の中空部にその磁石の一部を露出して設け、他方の容器の側面に手持ちとなるリングを設け、Ｓ極を外側にした磁石を他方の容器の中空部にその磁石を凹ませて設けた装身具の留め具とした特許文献がある（例えば特許文献２参照。）。
【０００７】
しかしながら、特許文献１の装身具類における磁気クラスプは、一対の接続ケースを左右に引き離したときにのみ分離可能とするヨークを接続ケースの外側に設けた構成であるが為に、上下方向の力では分離不可であるが、左右である長手方向の力では分離し易く、特にネックレスが装着時に外れる要因となる問題がある。
【０００８】
また、特許文献２の装身具の留め具は、Ｎ極を外側にしたネオジム磁石を一方の容器の中空部にその磁石の一部を露出して設け、Ｓ極を外側にした磁石を凹ませて設けた構成であるが為に、磁石同士（Ｎ極、Ｓ極）が磁力にて接触する際の衝撃にて割れ、カケが発生する欠点があるとともに左右である長手方向の力では分離しづらいが、上下方向の力では分離し易い欠点がある。
【０００９】
【特許文献１】特開２００６−２６００３号公報
【特許文献２】特開２０００−４１７１７号公報
【考案の開示】
【考案が解決しようとする課題】
【００１０】
前記事項を鑑み解決しようとする問題点は、簡単な構造にて、連結、連結解除が容易であるとともにネックレス等が装着時に上下左右の引き離し力が働いても外れない装身具用留め具を提供する。
【課題を解決するための手段】
【００１１】
上記課題を解決するために請求項１に係わる考案の装身具用留め具は、磁石を有する受容体及び挿入体からなり、前記受容体は、一端側には紐状体と連結可能な接続部と、磁石を収納するとともに前記挿入体も挿入される挿入受け部を設け、他端側には空間部を設けるとともに該空間部を形成する枠部には、前記挿入受け部の開口部と対向する枠部の一辺に切り欠き部を設けてなり、前記挿入体は、一端側には磁石が収納される収納部と、該収納部の後ろ側より長手方向に伸びるとともに前記切り欠き部に配置できる柄部と、該柄部に紐状体と連結可能な接続部とを設けてなるものである。
【００１２】
また、請求項２に係わる考案は、請求項１に記載の装身具用留め具において、当該留め具を横長にした状態から見て、前記受容体の他端側の空間部を形成する枠部には、切り欠き部を設けた一辺が、長手方向に対して垂直な上下に突出した略鈎形状に一体連設された掛合部片を設けてなることを特徴とする装身具用留め具。
【００１３】
前記受容体の他端側に設けた空間部の大きさは、挿入体の一端側に設けた磁石を収納する収納部分より大きく設けることで、挿入体が配置可能となり、受容体と挿入体が連結できるものである。
【考案の効果】
【００１４】
以上述べたように、本考案の装身具用留め具は、受容体の一端側に磁石収納するとともに挿入体をも挿入可能な挿入受け部により、受容体及び挿入体に対して上下方向の引き離し力が加わっても外れないものであり、他端側の空間部を形成する枠部により、受容体及び挿入体に対して長手方向である左右の引き離し力が加わっても外れないために、装着時におけるネックレス等の脱落を防止することができた。
【００１５】
また、受容体の他端側の空間部を形成する枠部に掛合部片を設けたことにより、受容体及び挿入体に対して長手方向である左右の引き離し力が加わるとともに上下方向の引き離し力が加わっても外れないために、簡単な構造にて装着時におけるネックレス等の脱落を防止することができた。
【００１６】
本考案の装身具用留め具は、受容体または挿入体のどちらかを少しだけ長手方向である左右に引っ張り、そして、受容体または挿入体のどちらかを上下方向に移動させることにより容易に連結を解除できる留め具となった。
【考案を実施するための最良の形態】
【００１７】
以下、本考案の目的である簡単な構造にて、簡単な構造にて、連結、連結解除が容易であるとともにネックレス等が装着時に上下左右の引き離し力が働いても外れない装身具用留め具は、図面を用いて詳細に説明する。
【００１８】
図１〜図３は、請求項１に係わる装身具用留め具１の実施例を示し、図１は斜視図、図２は正面図、図３は図２Ａ−Ａ線断面図であり、当該図面より、装身具用留め具１は、受容体３と挿入体１０にて構成し、受容体３と挿入体１０の磁石２と磁石１１は、連結時にＳ極とＮ極の面が同方向に吸い寄せられる極を面として配置した。
【００１９】
受容体３は、一端側には紐状体であるチェーンの一端と連結可能な接続部とした接円環４と、磁石２を収納する挿入受け部５ａを有するとともに挿入体１０も挿入できる挿入受け部５を設け、他端側には空間部６を設けるとともに空間部６を形成する枠部７には、挿入受け部５の開口部８と対向する枠部７の一辺に切り欠き部９を設けて形成した。
【００２０】
挿入体１０は、一端側には磁石１１が収納される収納部１２と、収納部１２の後ろ側より長手方向に伸びるとともに受容体３の切り欠き部９に配置できる柄部１３と、該柄部に紐状体であるチェーンの他端と連結可能な接続部とした接続１４環とを設けて形成した。
【００２１】
上記により、受容体３の空間部６に挿入体１０を持って行くことにより、受容体３の挿入受け部５ａに配置された磁石２のＮ極の面と、挿入体１０の収納部１２に配置された磁石１１のＳ極の面同士が磁力にて吸い寄せられることにより挿入体１０を挿入することができ、それにより、受容体３と挿入体１０とが磁石の磁力にて結合される。
【００２２】
図４は、図３の装身具用留め具１の断面図を基に連結途中を断面図にて示すものであり、受容体３の空間部６に挿入体１０が配置されるとともに挿入体１０の柄部１３が受容体３の切り欠き部９に配置された状態あり、図４から見て、挿入体１０に右方向へ引っ張る力を加えた場合は、収納部１２の後部が切り欠き部９を設けた枠部７の一辺に当たり、空間部６より抜け出すことはない。
【００２３】
また、挿入体１０の右方向へ引っ張る力が無くなった場合は、磁石の磁力にて吸い寄せられるように挿入体１０が開口部９方向に移動するとともに挿入受け部５に配置されて磁石２と磁石１１が磁力にて結合され、受容体３と挿入体１０が連結状態となる。
【００２４】
装身具用留め具１の連結を解除する場合は、図２または図３の連結状態より、当該図から見て、受容体３を右方向または挿入体１０を右方向へ引っ張るとともに受容体３を長手方向に対して垂直な下方向へ、挿入体１０を長手下方向に対して垂直な下方向へ移動させることにより連結が解除できる。  
【００２５】
図５〜図７は、請求項２に係わる装身具用留め具２０の実施例を示し、図５は斜視図、図６は正面図、図７は図６Ｂ−Ｂ線断面図であり、当該図面より、装身具用留め具２０は、受容体２２と挿入体３０にて構成し、受容体２２と挿入体３０の磁石２１と磁石３１は、連結時にＳ極とＮ極の面が同方向に吸い寄せられる極を面として配置した。
【００２６】
受容体２２は、一端側には紐状体であるチェーン等の一端と連結可能な接続部とした接続環２３と、磁石２１を収納する挿入受け部２４ａを有するとともに挿入体３０の一部も挿入できる挿入受け部２４を設け、他端側には空間部２５を設けるとともに空間部２５を形成する枠部２６には、切り欠き部２８を設けた一辺が、長手方向に対して垂直な上下に突出した略鈎形状に一体連設された掛合部片２９、２９ａ、２９ｂ、２９ｃを設けて形成した。
【００２７】
挿入体３０は、一端側には磁石３１が収納される収納部３２と、収納部３２の後ろ側より長手方向に伸びるとともに受容体３０の切り欠き部２８に配置できる柄部３３と、該柄部に紐状体であるチェーン等の他端と連結可能な接続部とした接続環３４とを設けて形成した。
【００２８】
上記により、受容体２２の空間部２５に挿入体３０を持って行くことにより、受容体２２の挿入受け部２４ａに配置された磁石２１のＮ極の面と、挿入体３０の収納部３２に配置された磁石３１のＳ極の面同士が磁力にて吸い寄せられることにより挿入体３０を挿入することができ、それにより、受容体２２と挿入体３０とが磁石の磁力にて結合される。
【００２９】
図８は、図７の装身具用留め具２０の断面図を基に連結途中を断面図にて示すものであり、受容体２２の空間部２５に挿入体３０が配置されるとともに挿入体３０の柄部３３が受容体２２の切り欠き部２８に配置された状態あり、図８から見て、挿入体３０に右方向へ引っ張る力を加えた場合は、収納部３２の後部が切り欠き部２８を設けた枠部２６の一辺に当たり空間部２５より抜け出すことはない。
【００３０】
また、上記状態より、長手方向に対して垂直な上下方向への引っ張り力が加わっても、切り欠き部２８を設けた枠部２６の一辺に長手方向に対して垂直な上下に略鈎形状に一体連設された掛合部片２９、２９ａ、２９ｂ、２９ｃにて挿入体３０が受け止められて空間部２５より抜け出すことはない。
【００３１】
また、挿入体３０の下方向へ引っ張る力が無くなった場合は、磁石の磁力にて吸い寄せられるように挿入体３０が開口部２７に移動するとともに挿入受け部２４に配置されて磁石２１と磁石３１が磁力にて結合され、受容体３と挿入体１０が連結状態となる。
【００３２】
装身具用留め具２０の連結を解除する場合は、図６または図７の連結状態より、当該図から見て、受容体２２を長手右方向または挿入体３０を長手左方向に引っ張り、挿入受け部２４より出た状態にするとともに受容体２２を長手方向に対して垂直な上方向または挿入体３０を長手下方向に対して垂直な下方向へ移動させることにより連結が解除できる。  
【図面の簡単な説明】
【００３３】
【図１】請求項１に係わる装身具用留め具の実施例を示す斜視図である。
【図２】図１の装身具用留め具の連結状態を示す正面図である。
【図３】図２Ａ−Ａ線断面図である。
【図４】前記留め具の連結途中を断面図にて示す。
【図５】請求項２に係わる装身具用留め具の実施例を示す斜視図である。
【図６】図５の装身具用留め具の連結状態を示す正面図である。
【図７】図６Ｂ−Ｂ線断面図である。
【図８】前記留め具の連結途中を断面図にて示す。
【符号の説明】
【００３４】
１    装身具用留め具
２    磁石
３    受容体
４    接続環
５    挿入受け部
６    空間部
７    枠部
８    開口部
９    切り欠き部  
１０    挿入体
１１    磁石    
１２    収納部
１３    柄部    
１４    接続環
２０    装身具用留め具  
２１    磁石
２２    受容体
２３    接続環
２４    挿入受け部
２５    空間部
２６    枠部
２７    開口部
２８    切り欠き部  
２９    係合部片
３０    挿入体
３１    磁石    
３２    収納部
３３    柄部    
３４    接続環
【図１】
0003131220.tif 000003
【図２】
0003131220.tif 000004
【図３】
0003131220.tif 000005
【図４】
0003131220.tif 000006
【図５】
0003131220.tif 000007
【図６】
0003131220.tif 000008
【図７】
0003131220.tif 000009
【図８】
0003131220.tif 000010